(57)【特許請求の範囲】
【請求項１】
スイッチングトランジスタと、前記スイッチングトランジスタのベース電圧を制御して前記スイッチングトランジスタを強制的にＯＮする目的で挿入したモーメンタリー方式のＯＮスイッチ及び前記スイッチングトランジスタを強制的にＯＦＦする目的で前記スイッチングトランジスタのベースエミッタ間に接続されたモーメンタリー方式のＯＦＦスイッチと、電源継続命令発生手段と、前記電源継続命令発生手段からの信号を受けて前記スイッチングトランジスタをＯＮ／ＯＦＦ制御するスイッチング手段と、前記ＯＮスイッチのＯＮ状態検出手段と、前記ＯＮスイッチのＯＮ状態検出手段からの信号を受けて前記ＯＮスイッチのＯＮ状態が予め定めておいた異常状態に該当する場合に前記ＯＮスイッチを異常と判定するＯＮスイッチ異常判定手段を具備し、このＯＮスイッチ異常判定手段からの信号を受けて、少なくとも本電源ＯＮ／ＯＦＦ装置が電源を供給する機器の動作を停止させる手段を有する制御手段を具備したことを特徴とする電源ＯＮ／ＯＦＦ装置。
【請求項２】
前記ＯＮスイッチ異常判定手段からの信号を受けた場合、この異常状態を表示する手段を具備したことを特徴とする請求項１記載の電源ＯＮ／ＯＦＦ装置。
【請求項３】
前記ＯＮスイッチのＯＮ状態検出を一定時間間隔で行い、その一定時間間隔の前後で、前記モーメンタリースイッチがＯＮ状態を示す場合、前記ＯＮスイッチに接点溶着があると見なし、前記ＯＮスイッチを異常と判定するＯＮスイッチ異常判定手段を具備することを特徴とする請求項１または請求項２記載の電源ＯＮ／ＯＦＦ装置。
【請求項４】
一定時間を２〜１０秒間としたことを特徴とした請求項３記載の電源ＯＮ／ＯＦＦ装置。
【請求項５】
スイッチングトランジスタと、前記スイッチングトランジスタのベース電圧を制御して前記スイッチングトランジスタを強制的にＯＮする目的で挿入したモーメンタリー方式のＯＮスイッチ及び前記スイッチングトランジスタを強制的にＯＦＦする目的で前記スイッチングトランジスタのベースエミッタ間に接続されたモーメンタリー方式のＯＦＦスイッチと、電源継続命令発生手段と、前記ＯＦＦスイッチのＯＮ状態を感知するＯＦＦスイッチＯＮ感知手段と、前記ＯＦＦスイッチＯＮ感知手段の出力が前記ＯＦＦスイッチがＯＮであることを示している場合、前記スイッチングトランジスタ等の異常により電源ＯＦＦ命令にもかかわらず、電源が供給されていると判断して、これを予め決めた異常状態と見なし、電源回路異常と判定する電源回路異常判定手段を具備し、この電源回路異常判定手段からの信号を受けて、少なくとも本電源ＯＮ／ＯＦＦ装置が電源を供給する機器の動作を停止させる手段を有する制御手段を具備したことを特徴とする電源ＯＮ／ＯＦＦ装置。
【請求項６】
前記電源回路異常判定手段からの信号を受けた場合、この異常状態を表示する手段を具備したことを特徴とする請求項５記載の電源ＯＮ／ＯＦＦ装置。
【発明の詳細な説明】
【０００１】
【発明の属する技術分野】
本発明は無線操縦装置等の携帯機に用いられる電源ＯＮ／ＯＦＦ装置に係るものである。
【０００２】
【従来の技術】
従来、電源スイッチとしては、スライド式、または押し込み式、及びスナップ式等のＯＮ／ＯＦＦ２状態がスイッチの１操作で入れ替わる方式のオールタネイトスイッチが使用されるのが一般的であった。
【０００３】
ところが、携帯機のように機器の小型軽量化が進むにつれ、ライトタッチスイッチ等と呼ばれるプッシュ式のモーメンタリースイッチが使用される例が見られるようになった。
【０００４】
図５にモーメンタリースイッチを使った電源ＯＮ／ＯＦ装置の例を掲げている。
【０００５】
ここで、ＯＮスイッチ４を押すと、押している時間だけスイッチングトランジスタ１がＯＮとなり、電源継続命令発生手段７に電源が供給される。更に電源継続命令発生手段７よりスイッチング手段６に対して電源継続供給命令がなされ、スイッチング手段６が動作することにより、ＯＮスイッチ４がＯＦＦとなってもスイッチングトランジスタ１のＯＮが継続され、以後、電源継続命令発生手段７に電源が供給され続ける。よって、電源ＯＮの機能が果たされることになる。
【０００６】
一方、ここでＯＦＦスイッチ５を押すと、スイッチングトランジスタ１がＯＦＦとなり電源継続命令発生手段７への電源供給が停止し、電源継続命令が止まって、スイッチング手段６の動作が止まり、ＯＦＦスイッチを離しても、もはや電源は切れたままとなり、電源ＯＦＦの機能を果たすことになる。なお図の２，３は抵抗器である。
【０００７】
【発明が解決しようとする課題】
しかしながら、オールタネイトスイッチではＯＮとＯＦＦが１操作毎に繰り返し、スイッチをＯＮ／ＯＦＦするということに対しては、他の部品またはシステムに依存していないため信頼性が高いといえるが、モーメンタリースイッチでは、瞬間的なＯＮ信号を捕らえて他の電子回路の働きにより電源スイッチのＯＮ／ＯＦＦを制御しているため他の電子部品の破壊によりスイッチ機能を果たさなくなることも想定され信頼性かが相対的に低いといえる。また、よく使用される小型のモーメンタリースイッチは、オールタネイトスイッチに比べ原理的にスイッチの接点溶着が起こりやすいといえる。
【０００８】
従って、この様な場合でも、機器の不具合をいち早く発見して不安全な状態にならないよう考慮しなければならないという課題が存在する。また、この様な課題を解決する技術に比較すべき従来の技術は、先行技術調査の結果見出すことができなかった。
【０００９】
【課題を解決するための手段】
前記の課題を解決するため、本発明では、ＯＮスイッチとしてのモーメンタリースイッチの接点溶着等の異常を定期的に監視する手段を設け、もし異常状態と考えられる現象が発見された場合は、電波の送出停止等被制御機器に対する動作停止命令を行い、自らは表示手段等により使用者に故障状態を明示し、機器の点検修理を促すものである。
【００１０】
一方、前述のように、モーメンタリースイッチによりＯＦＦ操作する場合は、他の電子部品の破壊によりＯＦＦ操作をしてもＯＦＦとならない場合が考えられる。この課題解決のためには、他の電子部品が破壊して電流が止まらなくなっても、ＯＦＦスイッチが操作されたことを認識できるように構成し、ＯＦＦスイッチの操作を認識した場合は、ＯＮスイッチで異常状態と考えられる現象を発見した場合と同様に、電波の送出停止等被制御機器に対する動作停止命令を行い、自らは表示手段等により使用者に故障状態を明示し、機器の点検修理を促すものである。
【００１１】
【発明の実施の形態】
本発明の請求項１に記載の発明は、スイッチングトランジスタと、前記スイッチングトランジスタのベース電圧を制御して前記スイッチングトランジスタを強制的にＯＮする目的で挿入したモーメンタリー方式のＯＮスイッチ及び前記スイッチングトランジスタを強制的にＯＦＦする目的で前記スイッチングトランジスタのベースエミッタ間に接続されたモーメンタリー方式のＯＦＦスイッチと、電源継続命令発生手段と、前記電源継続命令発生手段からの信号を受けて前記スイッチングトランジスタをＯＮ／ＯＦＦ制御するスイッチング手段と、前記ＯＮスイッチのＯＮ状態検出手段と、前記ＯＮスイッチのＯＮ状態検出手段からの信号を受けて前記ＯＮスイッチのＯＮ状態が予め定めておいた異常状態に該当する場合に前記ＯＮスイッチを異常と判定するＯＮスイッチ異常判定手段を具備し、このＯＮスイッチ異常判定手段からの信号を受けて、少なくとも本電源ＯＮ／ＯＦＦ装置が電源を供給する機器の動作を停止させる手段を有する制御手段を具備したことを特徴とする電源ＯＮ／ＯＦＦ装置に係るものであって、前記モーメンタリースイッチの状態がＯＮ状態かＯＦＦ状態かを常時監視し、故障と判断した場合、電波発射の停止等被制御機器の動作を停止するという作用を有する。
【００１２】
請求項２に記載の発明は前記ＯＮスイッチ異常判定手段からの信号を受けた場合、この異常状態を表示する手段を具備したことを特徴とする請求項１記載の電源ＯＮ／ＯＦＦ装置であって、前記モーメンタリースイッチの異常状態を表示し、使用者に異常状態を知らせ点検修理を促せる作用を有するものである。
【００１３】
請求項３に記載の発明は前記ＯＮスイッチのＯＮ状態検出を一定時間間隔で行い、その一定時間間隔の前後で、前記モーメンタリースイッチがＯＮ状態を示す場合、前記ＯＮスイッチに接点溶着があると見なし、前記ＯＮスイッチを異常と判定するＯＮスイッチ異常判定手段を具備することを特徴とする請求項１または請求項２記載の電源ＯＮ／ＯＦＦ装置であって、前記モーメンタリースイッチの接点溶着を発見し異常処理を行うという作用を持つものである。
【００１４】
請求項４に記載の発明は一定時間の間隔を２〜１０秒間としたことを特徴とした請求項３記載の電源ＯＮ／ＯＦＦ装置であって、ＯＮスイッチの接点溶着を確実に判定する作用を有するものである。
【００１５】
請求項５に記載の発明はスイッチングトランジスタと、前記スイッチングトランジスタのベース電圧を制御して前記スイッチングトランジスタを強制的にＯＮする目的で挿入したモーメンタリー方式のＯＮスイッチ及び前記スイッチングトランジスタを強制的にＯＦＦする目的で前記スイッチングトランジスタのベースエミッタ間に接続されたモーメンタリー方式のＯＦＦスイッチと、電源継続命令発生手段と、前記ＯＦＦスイッチのＯＮ状態を感知するＯＦＦスイッチＯＮ感知手段と、前記ＯＦＦスイッチＯＮ感知手段の出力が前記ＯＦＦスイッチがＯＮであることを示している場合、前記スイッチングトランジスタ等の異常により電源ＯＦＦ命令にもかかわらず、電源が供給されていると判断して、これを予め決めた異常状態と見なし、電源回路異常と判定する電源回路異常判定手段を具備し、この電源回路異常判定手段からの信号を受けて、少なくとも本電源ＯＮ／ＯＦＦ装置が電源を供給する機器の動作を停止させる手段を有する制御手段を具備したことを特徴とする電源ＯＮ／ＯＦＦ装置であって、ＯＦＦスイッチを操作しても電源が切れない状態になっていないかを検出する作用を有するものである。
【００１６】
請求項６に記載の発明は前記電源回路異常判定手段からの信号を受けた場合、この異常状態を表示する手段を具備したことを特徴とする請求項５記載の電源ＯＮ／ＯＦＦ装置であって、前記スイッチングトランジスタ等で構成される電源回路の異常状態を表示し、使用者に異常状態を知らせ点検修理を促せる作用を有するものである。
【００１７】
以下、本発明の実施の形態について、図面を参照しながら説明する。
なお、図１、図２、図３は本発明の構成を示す一部をブロック化した回路図であり、図４は本発明の一実施の形態に於ける電源ＯＮ／ＯＦＦ装置を具体的に示す一部をブロック化した回路図である。
【００１８】
（実施の形態１）
図１は、ＯＮスイッチ４のＯＮ状態検出手段８を有する、モーメンタリースイッチを用いた電源ＯＮ／ＯＦＦ装置を示し、ＯＮスイッチ４のＯＮ／ＯＦＦ状態を監視し、予め決められた異常状態に該当する状態を見いだした場合、ＯＮスイッチ異常の判定を行って、前記判定信号を制御手段１０に送るものであり、前記制御手段１０はＯＮスイッチ異常の判定信号を受けた場合は、電源が供給される側の機器の動作停止及び異常状態の表示等を行う作用を有するものであって、図５の構成の他にＯＮスイッチＯＮ状態検出手段８、ＯＮスイッチ異常判定手段９、制御手段１０、表示器１１より構成される。
【００１９】
ここで、図５に示す回路の電源ＯＮスイッチ４が接点溶着等によりＯＮ状態になってしまうと、電源スイッチ４を操作せずとも負荷回路に電源を供給し続け、負荷回路は電波の発射等、通常の動作をしようとする。ところが、図１の様な構成とすれば、電源ＯＮスイッチ４が常時ＯＮ状態になっている等異常状態にある場合は、制御手段１０を介して負荷回路の動作を停止させる等の対応が可能となるものである。
【００２０】
なお、この際ＯＮスイッチ異常判定手段９は一定時間間隔で電源ＯＮスイッチ４のＯＮ、ＯＦＦ状態を見に行くことにより、意図的に操作されたものか、接点溶着等のスイッチ異常によるものかを判断できるのである。
【００２１】
また、特にこの時間間隔を２秒以上とすることにより意図的なスイッチ操作でないと判断でき、１０秒以下とすることにより異常状態で放置されることが長時間続かないようにしたものである。
【００２２】
（実施の形態２）
図２は、ＯＦＦスイッチ５のＯＮ状態検出手段１２を有する、モーメンタリースイッチを用いた電源ＯＮ／ＯＦＦ装置を示し、電源回路異常判定手段１３にＯＦＦスイッチ５のＯＮ状態を知らせ、電源ＯＮ／ＯＦＦ装置自らの異常を検出する作用を有するものであり、更に電源回路異常の情報を受けた制御手段１０は、電源が供給される側の機器の動作停止及び異常状態の表示等を行う作用を有するものであって、図５の構成の他にＯＦＦスイッチＯＮ状態検出手段１２、電源回路異常判定手段１３、制御手段１０、表示器１１より構成されるものである。
【００２３】
図５に示す回路において、スイッチングトランジスタ１やスイッチング手段６が破壊し、電流が流れっぱなしになっていた場合、電源ＯＦＦスイッチ５が操作されても、電源電流は遮断されないため、機器は電波の発射等、通常の動作を継続しようとする。ところが、図２の様な構成とすれば、電源ＯＦＦスイッチ５を操作すると電源回路異常判定手段１３は電源回路の異常を判断し、機器の動作停止等を行うことが可能となる。
【００２４】
（実施の形態３）
図３は、ＯＮスイッチ４のＯＮ状態検出手段８を有し、ＯＦＦスイッチ５のＯＮ状態検出手段１２を有する、モーメンタリースイッチを用いた電源ＯＮ／ＯＦＦ装置を示し、ＯＮスイッチ４のＯＮ状態とＯＦＦスイッチ５のＯＮ状態を監視し、予め決められた異常状態に該当する状態を見いだした場合、それぞれＯＮスイッチ異常、及び電源回路異常の判定を行って、前記判定信号を制御手段１０に送り、前記制御手段１０は電源が供給される側の機器の動作停止及び異常状態の表示等を行う作用を有するものであって、図５の構成の他にＯＮスイッチＯＮ状態検出手段８、ＯＮスイッチ異常判定手段９、ＯＦＦスイッチＯＮ状態検出手段１２、電源回路異常判定手段１３、制御手段１０、表示器１１より構成されるものである。
【００２５】
次に本発明の具体例について説明する。
図４に於いて、１はスイッチングトランジスタ、２，３は抵抗、４はＯＮスイッチ、５はＯＦＦはスイッチ、７は電源継続命令発生手段、９はＯＮスイッチ異常判定手段、１０は制御手段、１１は表示器、１３は電源回路異常判定手段、１４はダイオード、１５は抵抗器、１６は抵抗内蔵型ＮＰＮ型トランジスタ、１７は抵抗内蔵型ＰＮＰ型トランジスタ、１８，１９は抵抗器、２０は抵抗内蔵型ＮＰＮ型トランジスタ、２１はマイクロコンピュータである。
【００２６】
いまＯＮスイッチ４を操作すると、スイッチングトランジスタ１が一時的にＯＮとなり、電源継続命令発生手段７に電源が供給され、電源継続信号が電源継続命令発生手段７から抵抗内蔵型ＮＰＮ型トランジスタ１６に対して出力される。その結果、スイッチングトランジスタ１のＯＮ状態が継続される。
【００２７】
この状態でＯＮスイッチ４が再度ＯＮされると、抵抗内蔵型ＮＰＮ型トランジスタ２０のベース電圧が低下してこのトランジスタ２０がＯＦＦとなって、ＯＮスイッチ異常判定手段９に対する信号電圧が“Ｌｏ”から“Ｈｉ”となる。このことにより、ＯＮスイッチ異常判定手段９はＯＮスイッチがＯＦＦ状態からＯＮ状態になったことを知る。
【００２８】
このＯＮスイッチ４のＯＮ状態が５秒より長い場合は、ＯＮスイッチ４の接点が溶着していると見なし、制御手段１０にこの情報を伝達する。制御手段１０は電波送出を停止し、ＬＥＤ等からなる表示器１１による異常表示を行うものである。
【００２９】
従って、電源ＯＮ状態で誤ってＯＮスイッチ４を５秒間以上押した場合も同様の現象となる。本実施の形態では、ＯＮスイッチのＯＮ時間間隔５秒を溶着判定条件としたが、この時間を長く設定した場合は接点溶着状態が長時間放置されることになる。従って、この値は実状に合わせ設定することとなるが２秒から１０秒程度の値に設定するのが適当である。
【００３０】
次に、電源ＯＮの状態でＯＦＦスイッチ５が押されると抵抗内蔵型ＰＮＰ型トランジスタ１７のベース電圧が上昇してしてこのトランジスタがＯＦＦとなり、電源回路異常判定手段１３に対する信号電圧が“Ｈｉ”から“Ｌｏ”となる。このことにより、電源回路異常判定手段１３はＯＦＦスイッチ５がＯＦＦ状態からＯＮ状態となったことを知る。
【００３１】
但し、これはＯＦＦスイッチ５が操作されたにもかかわらず、電源回路異常判定手段１３に電源が供給されている状態、即ちスイッチングトランジスタ１等の電源回路に異常がある場合である。通常はＯＦＦスイッチ５が操作されると、スイッチングトランジスタ１のベース電圧の上昇により、スイッチングトランジスタ１がＯＦＦとなり、電源供給命令がＮＰＮ型トランジスタ１６に来なくなり、電源断となるものである。このようにして電源回路異常判定手段１３が電源回路の異常を検出した場合に電波送出を停止し、ＬＥＤ等からなる表示器１１による異常表示を行うものである。
【００３２】
なお、実際の回路構成では、電源継続命令発生手段７、ＯＮスイッチ異常判定手段９、制御手段１０、電源回路異常判定手段１３は機能的にはマイクロコンピュータ２１の中に構成されるのが普通である。
【００３３】
【発明の効果】
以上のように、本発明によれば、ＯＮスイッチのＯＮ状態検出手段とＯＦＦスイッチのＯＮ感知手段を具備することにより、ＯＮスイッチの接点溶着等の異常検出や、スイッチングトランジスタの破壊等電源回路の異常を検出し、電波発射等の動作停止と故障発生の表示を行うことにより使用者に対し機器の点検修理を促し、機器の安全性を高めることができるという効果がある。
【図面の簡単な説明】
【図１】本発明の実施の形態１における電源ＯＮ／ＯＦＦ装置の構成を示す回路図
【図２】本発明の実施の形態２における電源ＯＮ／ＯＦＦ装置の構成を示す回路図
【図３】本発明の実施の形態３における電源ＯＮ／ＯＦＦ装置の構成を示す回路図
【図４】本発明の電源ＯＮ／ＯＦＦ装置の具体的構成を示す回路図
【図５】従来の電源ＯＮ／ＯＦＦ装置の構成を示す回路図
【符号の説明】
１  ＰＮＰ型スイッチングトランジスタ
２  抵抗器
３  抵抗器
４  ＯＮスイッチ
５  ＯＦＦスイッチ
６  スイッチング手段
７  電源継続命令発生手段
８  ＯＮスイッチＯＮ状態検出手段
９  ＯＮスイッチ異常判定手段
１０  制御手段
１１  表示器
１２  ＯＦＦスイッチＯＮ状態検出手段
１３  電源回路異常判定手段
１４  ダイオード
１５  抵抗器
１６  抵抗内蔵型ＮＰＮ型トランジスタ
１７  抵抗内蔵型ＰＮＰ型トランジスタ
１８，１９  抵抗器
２０  抵抗内蔵型ＮＰＮ型トランジスタ
２１  マイクロコンピュータ
【図１】
0003750373.tif 000002
【図２】
0003750373.tif 000003
【図３】
0003750373.tif 000004
【図４】
0003750373.tif 000005
【図５】
0003750373.tif 000006